(57)【要約】      （修正有）【課題】玩具に、元々備えているものとは異なる新たな形態や、機能、表情などを付加して、玩具の楽しみ方を多様化する玩具用カバーを提供する。【解決手段】玩具用カバーは、立体的形態を保持した玩具Ａの全部または一部を覆うカバー本体４からなり、カバー本体４の表面には、カバー本体４から突出するとともに、変形可能な芯棒１２、１３を備えた変形可能部位１０、１０、１４が設けられていて、変形可能部位１０、１０、１４の全部または一部は、その変形可能範囲内の任意の形態を保持する形態保持手段１２、１３を備えている。【選択図】図３
0003228771.tif 000002
【実用新案登録請求の範囲】
【請求項１】
立体的形態を保持した玩具の全部または一部を覆うカバー本体からなり、
上記カバー本体には、変形可能部位が外観可能に設けられ、
この変形可能部位の全部または一部は、その変形可能範囲内の任意の形態を保持する形態保持手段を備えた玩具用カバー。
【請求項２】
上記カバー本体は布製であり、上記形態保持手段の全周が上記布で覆われた請求項１に記載の玩具用カバー。
【請求項３】
上記形態保持手段は、可撓性を有する部材で構成された請求項１または２に記載の玩具用カバー。
【請求項４】
上記玩具は手または足の位置が固定された人型玩具もしくは動物型玩具であって、
上記カバー本体には、上記手または足に相当する上記変形可能部位が設けられた請求項１〜３のいずれか１に記載の玩具用カバー。
【考案の詳細な説明】
【技術分野】
【０００１】
本考案は、玩具の全部または一部を覆う玩具用カバーに関する。
【背景技術】
【０００２】
従来から、人間や動物を模したぬいぐるみ人形は、飾って楽しむため、飾りやすく、その人形の特徴が表れやすい一定の形に固定されたものが多い。
例えば、特許文献１に記載された動物型のぬいぐるみは、起立した状態を保つように工夫されている。
また、図６に示すぬいぐるみ人形Ａは、大きな頭部１に対して短い手足２，３を備え、前に出した足３を伸ばし、その上に手２を置いて座るように形成されている。このような形態にすることで、大きな頭部１と愛らしい顔１ａを目立たせている。
【先行技術文献】
【特許文献】
【０００３】
【特許文献１】実開昭６０−７８８２号公報
【考案の概要】
【考案が解決しようとする課題】
【０００４】
上記ぬいぐるみ人形Ａは、前に出した足３の位置や形状が固定されるとともに、この足３の上に置かれた手２の位置や形状が固定されているので、図示のような座った状態で飾る以外の遊び方が難しく、楽しみ方が限定されてしまうという問題があった。
そこで、本考案は、玩具に、元々備えているものとは異なる、新たな形態や、機能、表情などを付加して、玩具の楽しみを多様化することを目的とする。
【課題を解決するための手段】
【０００５】
この考案は、立体的形態を保持した玩具の全部または一部を覆うカバー本体からなり、上記カバー本体には、変形可能部位が外観可能に設けられ、この変形可能部位の全部または一部は、その変形可能範囲内の任意の形態を保持する形態保持手段を備えたことを特徴とする。
【０００６】
第２の考案は、上記カバー本体が布製であり、上記形態保持手段の全周が上記布で覆われていることを特徴とする。
【０００７】
第３の考案は、上記形態保持手段は、可撓性を有する部材で構成されたことを特徴とする。
【０００８】
第４の考案は、上記玩具は手または足の位置が固定された人型もしくは動物型玩具であって、上記カバー本体には、手または足に相当する上記変形可能部位が設けられたことを特徴とする。
【考案の効果】
【０００９】
この考案の玩具カバーによれば、玩具が元々備えているものとは異なる、新たな形態や機能、表情などを付加することができ、玩具の楽しみを多様化できる。
【００１０】
第２の考案では、カバー本体を布製にすることで、カバー本体の形状が自由になり、様々な形状の玩具に適用しやすい。また、カバー本体を被せた玩具の柔らかな感触を実現できる。
【００１１】
第３の考案では、可撓性を有する部材によって、変形可能部位の任意の形態を保持することができる。
【００１２】
第４の考案では、手または足の位置が固定された人型玩具もしくは動物型玩具にカバー本体を被せることによって、手または足の位置や形状を自由に変化させて、別の形態を作ることができる。
【図面の簡単な説明】
【００１３】
【図１】第１実施形態の玩具用カバーの正面図である。
【図２】第１実施形態の玩具用カバーの側面図である。
【図３】第１実施形態の玩具用カバーを玩具に被せた状態の正面図である。
【図４】第２実施形態の玩具用カバーの正面図である。
【図５】第２実施形態の玩具用カバーを玩具に被せた状態の正面図である。
【図６】ぬいぐるみ人形の一例である。
【考案を実施するための形態】
【００１４】
図１〜３に示すこの発明の第１実施形態は、人型玩具である図６に示すぬいぐるみ人形Ａ用のカバーで、表面にパイルを備えた布製のカバー本体４からなる。このカバー本体４は、外観をオオカミのぬいぐるみに似せた袋状の頭部５と胴部６とを縫い合わせたもので、頭部５及び胴部６の内部空間を連続させ繋いでいる。
【００１５】
上記頭部５には、上記人形Ａの顔１ａに対応する位置に開口７を備え、この開口７の大きさを上記人形Ａの頭部１を挿入可能な大きさにしている。ただし、開口７の周囲には、図示していないゴムテープが縫い込まれていて、通常時には上記開口７が絞られるようになっている。
また、カバー本体４の頭頂部にはこのカバー本体４を吊り下げる際に利用できるループ８が縫い付けられ、その両脇には布製の耳９，９が縫い付けられている。
【００１６】
一方、カバー本体４の胴部６には、一対の前足１０，１０と一対の後足１１，１１とが形成されている。
そして、上記前足１０，１０内には、変形可能範囲内の任意の形態を保持する形態保持手段である芯棒１２が挿入固定されている。この芯棒１２は、自由に曲げることが可能で曲げた状態を維持できる金属棒や針金などである。したがって、カバー本体４の前足１０，１０は、図の矢印α，βのように上下方向や前後方向等、様々な方向に動かして変形させることができるとともに、変形後の任意の形態を保つことができる。この前足１０，１０が、形態保持手段を備えたこの考案の変形可能部位である。
【００１７】
また、後足１１，１１は袋状にして、人形Ａの足３，３を挿入することができるようになっている。
さらに、図２に示すように、胴部６の背面側には、内部に、上記芯棒１２と同様の芯棒１３を挿入固定し、毛足の長い布で形成された尻尾１４が縫い付けられている。この尻尾１４も、矢印α，βのように、様々な方向に自由に動かしたり、曲げたりすることができるとともに任意の形態を保つことができる、この考案の変形可能部位である。
【００１８】
上記のようなカバー本体４は、縫い込まれたゴムテープを伸ばして開口７を広げ、人形Ａを足３，３から挿入することで、人形Ａに被せることができる。上記人形Ａの足３，３を、カバー本体４の後足１１，１１内に挿入し、人形Ａの頭部１をカバー本体４の頭部５内に収容した状態を図３に示している。
図３に示すように、人形Ａにカバー本体４を被せると、人形の顔１ａのみが開口７に現れ、他の部分、すなわち胴や手足２，３はカバー本体４に覆われる。
【００１９】
この状態で、人形Ａはオオカミのぬいぐるみ、またはオオカミの着ぐるみを被った人形のようになる。
したがって、上記カバー本体４を被せれば、人型玩具である人形Ａをオオカミのぬいぐるみ、または着ぐるみを被った人形として楽しむことができる。しかも、このオオカミの前足１０，１０や尻尾１４を自由に変形させて、様々な動きや表情を演出することができる。
特に、上記人形Ａは、元々手２，２及び足３，３の位置や形状が固定されているため、動きを感じさせることができなかったが、上記カバー本体４を被せることによって、動きの無い手２，２の代わりに前足１０，１０を動かして様々な形態を楽しむことができる。
【００２０】
なお、この実施形態において、上記カバー本体４の後足１１，１１には芯棒を設けていないので、人形Ａの足３，３を挿入すれば、後足１１，１１は上記人形Ａの足３，３のようにその位置が固定され、座った状態を作ることもできる。
ただし、カバー本体４の後足１１，１１に足３，３を挿入せずに、布の張りだけで後足１１，１１の形態を保つようにしても良い。あるいは、カバー本体４の後足１１，１１にも前足１０，１０のように可撓性を有する芯棒を挿入固定して、後足１１，１１を、形態保持手段を有する変形可能部位としても良い。
【００２１】
図４，５に示す第２実施形態は、カバー本体１５が、リング状にしたゴムテープ１６と、このゴムテープ１６に取り付けられた一対の耳部１７ａ，１７ｂと、リボン１８と、よだれ掛け１９とからなる。このカバー本体１５も、図６に示す人形Ａ用のものである。
上記ゴムテープ１６は、その全長を、上記人形Ａの頭頂部と顎とを通る円周より多少短めにして、人形Ａの顔１ａの周りに取り付けたとき、ゴムの弾性力が作用して人形Ａの顔１ａの周りに固定されるようにしている。
【００２２】
また、上記耳部１７ａ，１７ｂは、中綿を詰めて立体的にし、ウサギの耳を模したもので、一対の耳部１７ａ，１７ｂを一体的に形成している。そして、これら耳部１７ａ,１７ｂの中央を、飾りのリボン１８とともにゴムテープ１６に取り付けている。
さらに、上記耳部１７ａ，１７ｂ内には両耳部１７ａ，１７ｂに連続する芯棒２０を設けている。この芯棒２０は、上記第１実施形態の芯棒１２と同様の可撓性及び保持能力を有する形態保持手段を構成する部材である。
したがって、この耳部１７ａ，１７ｂはそれぞれ、矢印α，βのように変形可能であり、形態保持手段を備えた変形可能部位である。
【００２３】
また、リング状のゴムテープ１６においてリボン１８とほぼ正対する位置には布製のよだれ掛け１９が縫い付けられている。
このカバー本体１５を、ゴムテープ１６によって上記人形Ａの顔１ａの周りに取り付けると、図５に示すように、もともとは少年の人形Ａはウサギの耳を備えた乳幼児のような人形になる。
【００２４】
そして、上記耳部１７ａ，１７ｂを実線のように真上に立てれば、ウサギらしくなり、さらに耳部１７ａ，１７ｂを、変形させることで、異なる表情を作ることもできる。
また、耳部１７ａ，１７ｂを人形Ａの頭部１に沿わせれば、耳部１７ａ，１７ｂはリボンの髪飾りのようにも見える。
このように、カバー本体１５を取り付けることで、人形Ａの形態や印象を変化させて、楽しみ方を多様化することができる。
【００２５】
なお、上記第１，２実施形態では、変形可能部位の形態保持手段として、金属棒や針金などの可撓性を有する芯棒１２，１３，２０を用いているが、形態保持手段はこれに限らない。
例えば、凹部とボール状の凸部とを備えた部品を、複数連結して背骨のようにした棒状部材を形態保持手段としても良い。
【００２６】
また、上記実施形態のようなカバー本体を被せる対象の玩具は、ぬいぐるみには限らないし、人型玩具や動物型玩具にも限らず、どのようなものでもよい。例えば、乗り物の模型に、変形可能部位となる手足を備えたカバーを被せることで、乗り物を擬人化したり、動物などに変身させたりして楽しむこともできる。
【００２７】
さらに、カバー本体の形態も、どのようなものでも良く、人や動物に関連するものに限らないし、それを被せる玩具との関連性も必要ない。
したがって、上記のようなカバー本体を玩具に被せることによって、玩具が本来備えていたものとは異なる形態にしたり新たな機能を付加したりして、玩具の楽しさを多様化できる。
【産業上の利用可能性】
【００２８】
様々な種類のカバーを用意することで、１つの玩具で様々に楽しむことができる。
【符号の説明】
【００２９】
Ａ    （人型玩具）人形
２    （人型玩具の）手
３    （人型玩具の）足
４，１５    カバー本体
１０    （変形可能部位）前足
１２，１３    （形態保持手段）芯棒
１４    （変形可能部位）尻尾
１７ａ，１７ｂ    （変形可能部位）耳部
【図１】
0003228771.tif 000003
【図２】
0003228771.tif 000004
【図３】
0003228771.tif 000005
【図４】
0003228771.tif 000006
【図５】
0003228771.tif 000007
【図６】
0003228771.tif 000008
【手続補正書】
【提出日】令和2年8月7日(2020.8.7)
【手続補正１】
【補正対象書類名】実用新案登録請求の範囲
【補正対象項目名】全文
【補正方法】変更
【補正の内容】
【実用新案登録請求の範囲】
【請求項１】
立体的形態を保持した玩具の全部または一部を覆うカバー本体からなり、
上記カバー本体の表面には、当該カバー本体から突出するとともに、変形可能な芯棒を備えた変形可能部位が設けられ、
この変形可能部位の全部または一部は、その変形可能範囲内の任意の形態を保持する形態保持手段を備えた玩具用カバー。
【請求項２】
上記カバー本体は布製であり、上記形態保持手段の全周が上記布で覆われた請求項１に記載の玩具用カバー。
【請求項３】
上記形態保持手段は、可撓性を有する部材で構成された請求項１または２に記載の玩具用カバー。
【請求項４】
上記玩具は手または足の位置が固定された人型玩具もしくは動物型玩具であって、
上記カバー本体には、上記手または足に相当する上記変形可能部位が設けられた請求項１〜３のいずれか１項に記載の玩具用カバー。
【手続補正２】
【補正対象書類名】明細書
【補正対象項目名】０００５
【補正方法】変更
【補正の内容】
【０００５】
この考案は、立体的形態を保持した玩具の全部または一部を覆うカバー本体からなり、
上記カバー本体の表面には、当該カバー本体から突出するとともに、変形可能な芯棒を備えた変形可能部位が設けられ、この変形可能部位の全部または一部は、その変形可能範囲内の任意の形態を保持する形態保持手段を備えたことを特徴とする。